Podtech/llm-jp-corpus-v4-ja_patent huggingface dataset:
【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
以下の式の化合物
【化１】
2012508274.tif 000001
（式中、
ＸはＦ、Ｃｌ、ＣＦ３、ＣＮまたはＨであり、
ＹはＦ、ＨまたはＣｌであり、
Ｒ１およびＲ２は独立して、Ｈ、Ｃ１−Ｃ４アルキルまたはＣＨ２ＣＨ２ＯＨであるか、あるいは、
Ｒ１およびＲ２は、それらが結合される窒素原子と一緒に、２位においてヒドロキシメチル、もしくは３位においてヒドロキシで任意に置換されているピロリジン環、または３位においてヒドロキシで置換されているアゼチジン環を形成し、
Ｒ３はＨまたはＯＨであり、
Ｒ６はＨであるか、またはＲ６およびＲ２は、Ｒ２が結合される窒素原子と一緒に、ピペリジン環を形成し、
Ｒ７およびＲ８は独立して、ＨまたはＣＨ３であるか、あるいはＲ７およびＲ１は、Ｒ１が結合される窒素原子と一緒に、ピロリジン環を形成し、
ＷはＣＲ４Ｒ５、ＮＲ１０、Ｃ＝ＯまたはＣ＝ＣＨ−Ｒ９であり、
Ｒ４およびＲ５は独立して、Ｈ、ＣＨ３、またはＣＨ２ＣＨ３であり、Ｒ４およびＲ５は、それらが結合される炭素原子と一緒に、シクロペンタン環を形成するか、あるいはＲ４またはＲ５のうちの１つはベンジルであり、他方はＨであり、
Ｒ９は２−チアゾリル、４−ピリジル、２−メチル−４−チアゾリル、２−イミダゾリル、５−チアゾリル、または４−イミダゾリルであり、
Ｒ１０はＨまたはＣ１−Ｃ３アルキルである）
またはその薬学的に許容可能な塩。
【請求項２】
ＹはＦである、請求項１に記載の化合物、またはその薬学的に許容可能な塩。
【請求項３】
ＸはＣｌ、ＣＦ３またはＦである、請求項１または請求項２のいずれか一項に記載の化合物、またはその薬学的に許容可能な塩。
【請求項４】
ＷはＣＲ４Ｒ５である、請求項１〜３のいずれか一項に記載の化合物、またはその薬学的に許容可能な塩。
【請求項５】
Ｒ４およびＲ５は独立して、ＨまたはＣＨ３であるか、あるいはＲ４およびＲ５はそれらが結合される炭素原子と一緒に、シクロペンタン環を形成する、請求項４に記載の化合物、またはその薬学的に許容可能な塩。
【請求項６】
Ｒ１およびＲ２は独立して、Ｈ、Ｃ１−Ｃ４アルキルもしくはＣＨ２ＣＨ２ＯＨであるか、またはＲ１およびＲ２は、それらが結合される窒素原子と一緒に、２位においてヒドロキシメチル、または３位においてヒドロキシで任意に置換されているピロリジン環を形成する、請求項１〜５のいずれか一項に記載の化合物、またはその薬学的に許容可能な塩。
【請求項７】
Ｒ３はＨである、請求項１〜６のいずれか一項に記載の化合物、またはその薬学的に許容可能な塩。
【請求項８】
４−｛４−［１−（２−ジメチルアミノ−エチル）−４−（４−フルオロ−３−トリフルオロメチル−フェニル）−１Ｈ−イミダゾール−２−イル］ピペリジン−１−イル｝−５，７−ジヒドロ−ピロロ［２，３−ｄ］−ピリミジン−６−オンである、請求項１に記載の化合物、またはその薬学的に許容可能な塩。
【請求項９】
請求項１〜８のいずれか一項に記載の化合物、またはその薬学的に許容可能な塩、および薬学的に許容可能な担体、希釈剤または賦形剤を含む医薬製剤。
【請求項１０】
請求項１〜８のいずれか一項に記載の化合物、またはその薬学的に許容可能な塩を含む、多形性膠芽腫を治療するための医薬組成物。
【手続補正書】
【提出日】平成24年8月29日(2012.8.29)
【手続補正１】
【補正対象書類名】明細書
【補正対象項目名】００２４
【補正方法】変更
【補正の内容】
【００２４】
「ドクター試験」は、ジェット燃料及び灯油などの石油系燃料中のメルカプタンを検出するものである。この試験は、燃料に存在することのある硫化水素及び元素状硫黄についての情報を与えることもできる。燃料の硫黄含量を測定するための一般に認められている方法は、引用により本明細書に組み込まれるASTM標準D 4952である。
【手続補正２】
【補正対象書類名】明細書
【補正対象項目名】００７３
【補正方法】変更
【補正の内容】
【００７３】
任意のフィッシャー・トロプシュ触媒を本明細書において使用できる。フィッシャー・トロプシュ系燃料の調製に好適な触媒の非限定的な例には、コバルト、鉄、ニッケル、及びルテニウムがある。
【手続補正３】
【補正対象書類名】明細書
【補正対象項目名】０１３３
【補正方法】変更
【補正の内容】
【０１３３】
（実施例６）
AMD-200、AMJ-300、及びAMJ-310と称される3種の燃料組成物を、Jet AのD 1655の種々のASTM試験で試験した。AMD-200は99.76%のファルネサンを含む。AMJ-300は97.1%のリモナン及び1.6%のp-シメンを含む。AMJ-300は1.3%の未確認化合物を含み、そのうち0.9%は2,6-ジメチルオクタンであると考えられる。AMJ-310は81.0%のリモナン及び17.5%のp-シメンを含み、0%、50%、及び80%のJet Aと配合する。AMJ-310は1.5%の未確認化合物を含み、そのうち0.9%は2,6-ジメチルオクタンであると考えられる。AMD-200、AMJ-300、及びAMJ-310の成分は、ガスクロマトグラフィー／水素炎イオン化検出器（GC/FID）により同定した。
【手続補正４】
【補正対象書類名】明細書
【補正対象項目名】０１４１
【補正方法】変更
【補正の内容】
【０１４１】
（実施例８）
実施例８はAMJ-310である。AMJ-310は、81.0%のリモナン及び17.5%のp-シメンを含み、0%、50%、及び80%のJet Aと配合した。AMJ-310は1.5%の未確認化合物を含み、そのうち0.9%が2,6-ジメチルオクタンであると考えられる。
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
２−メチル−１−（フェニルスルホニル）−４−ピペラジン−１−イル−１Ｈ−ベンズイミダゾール、またはその医薬的に許容できる塩である化合物。
【請求項２】
請求項１に記載の化合物および医薬的に許容できるキャリヤーを含む組成物。
【請求項３】
対象における５−ＨＴ６受容体機能の調節における使用のための、請求項２に記載の組成物。
【請求項４】
薬物としての使用のための、請求項２に記載の組成物。
【請求項５】
５−ＨＴ６に関連する障害の処置における使用ための、請求項２に記載の組成物。
【請求項６】
５−ＨＴ６に関連する障害が中枢神経系（ＣＮＳ）疾患または障害である、請求項５に記載の組成物。
【請求項７】
５−ＨＴ６に関連する障害が、精神病、不安、抑うつ、てんかん、強迫性障害、片頭痛、認知障害、睡眠障害、摂食障害、食欲不振、肥満、大食、過食障害、パニック発作、薬物乱用からの離脱の結果もたらされる障害、精神分裂病と関係する認知欠陥、胃腸障害、過敏性腸症候群、記憶障害、アルツハイマー病、パーキンソン病、ハンチントン舞踏病、精神分裂病、注意欠陥多動性障害、欠陥的神経成長により特徴付けられる神経変性疾患、および疼痛から選択される、請求項５または６に記載の組成物。
【請求項８】
５−ＨＴ６に関連する障害が、抑うつ、認知障害、精神分裂病と関係する認知欠陥、記憶障害、アルツハイマー病と関係する認知機能不全、および疼痛から選択される、請求項７に記載の組成物。
【請求項９】
５−ＨＴ６に関連する障害が、アルツハイマー病と関係する認知機能不全である、請求項７に記載の組成物。
【手続補正書】
【提出日】平成24年10月23日(2012.10.23)
【手続補正１】
【補正対象書類名】特許請求の範囲
【補正対象項目名】全文
【補正方法】変更
【補正の内容】
【特許請求の範囲】
【請求項１】
治療において同時に、別々に、または連続的に使用するための、化合物４−［４−［４−（４−フルオロ−３−トリフルオロメチル−フェニル）−１−メチル−１Ｈ−イミダゾール−２−イル］−ピペリジン−１−イル］−１Ｈ−ピラゾロ［３，４−ｄ］ピリミジン、またはその薬理学的に許容できる塩、およびＥＧＦＲ阻害剤を複合製剤として含む生成物。
【請求項２】
多形神経膠芽腫、結腸の腺癌、非小細胞肺癌、小細胞肺癌、シスプラチン耐性の小細胞肺癌、卵嚢癌、白血病、膵臓癌、前立腺癌、乳癌、腎細胞癌、多発性骨髄腫、カポジ肉腫、ホジキンリンパ腫、リンパ脈管筋腫症、非ホジキンリンパ腫または肉腫の治療において同時に、別々に、または連続的に使用するための、化合物４−［４−［４−（４−フルオロ−３−トリフルオロメチル−フェニル）−１−メチル−１Ｈ−イミダゾール−２−イル］−ピペリジン−１−イル］−１Ｈ−ピラゾロ［３，４−ｄ］ピリミジン、またはその薬理学的に許容できる塩、およびＥＧＦＲ阻害剤を複合製剤として含む生成物。
【請求項３】
前記複合製剤は非小細胞肺癌の治療において同時に、別々に、または連続的に使用するためのものである、請求項２記載の生成物。
【請求項４】
前記ＥＧＦＲ阻害剤はエルロチニブ塩酸塩である、請求項１〜３のいずれか１項記載の生成物。
【請求項５】
前記化合物４−［４−［４−（４−フルオロ−３−トリフルオロメチル−フェニル）−１−メチル−１Ｈ−イミダゾール−２−イル］−ピペリジン−１−イル］−１Ｈ−ピラゾロ［３，４−ｄ］ピリミジン、またはその薬理学的に許容できる塩は、４−［４−［４−（４−フルオロ−３−トリフルオロメチル−フェニル）−１−メチル−１Ｈ−イミダゾール−２−イル］−ピペリジン−１−イル］−１Ｈ−ピラゾロ［３，４−ｄ］ピリミジン  ｐ−トルエンスルホネートである、請求項１〜４のいずれか１項記載の生成物。
【請求項６】
前記化合物４−［４−［４−（４−フルオロ−３−トリフルオロメチル−フェニル）−１−メチル−１Ｈ−イミダゾール−２−イル］−ピペリジン−１−イル］−１Ｈ−ピラゾロ［３，４−ｄ］ピリミジン、またはその薬理学的に許容できる塩、および前記ＥＧＦＲ阻害剤は経口投与されるためのものである、請求項１〜５のいずれか１項記載の生成物。
【請求項７】
多形神経膠芽腫、結腸の腺癌、非小細胞肺癌、小細胞肺癌、シスプラチン耐性の小細胞肺癌、卵嚢癌、白血病、膵臓癌、前立腺癌、乳癌、腎細胞癌、多発性骨髄腫、カポジ肉腫、ホジキンリンパ腫、リンパ脈管筋腫症、非ホジキンリンパ腫または肉腫の治療において、ＥＧＦＲ阻害剤と併用して同時に、別々に、または連続的に使用するための、化合物４−［４−［４−（４−フルオロ−３−トリフルオロメチル−フェニル）−１−メチル−１Ｈ−イミダゾール−２−イル］−ピペリジン−１−イル］−１Ｈ−ピラゾロ［３，４−ｄ］ピリミジン、またはその薬理学的に許容できる塩を有効成分として含む、医薬組成物。
【請求項８】
前記使用は非小細胞肺癌の治療におけるものである、請求項７記載の医薬組成物。
【請求項９】
前記ＥＧＦＲ阻害剤はエルロチニブ塩酸塩である、請求項７または請求項８記載の医薬組成物。
【請求項１０】
前記化合物は４−［４−［４−（４−フルオロ−３−トリフルオロメチル−フェニル）−１−メチル−１Ｈ−イミダゾール−２−イル］−ピペリジン−１−イル］−１Ｈ−ピラゾロ［３，４−ｄ］ピリミジン  ｐ−トルエンスルホネートである、請求項７〜９のいずれか１項記載の医薬組成物。
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
式（Ｉａ）、（Ｉｂ）、（Ｉｃ）及び（Ｉｄ）
【化１】
2012508268.tif 000001
［式中、Ｒ1、Ｒ2、Ｒ3、Ｒ4、Ｒ5、Ｒ6、Ｒ7、Ｒ8、Ｒ9、Ｒa、Ｒb基は、それぞれ独立して、Ｈ及びアルキルからなる群から選択され、
かつＲ1もしくはＲ2は、又はＲ1及びＲ2は、それぞれＨである］のジアミンから選択される少なくとも１つの環状ジアミンを製造するための方法であって、
該方法は、少なくとも以下の工程（Ｉ）〜（ＩＩ）：
（Ｉ）式（ＩＩａ）及び（ＩＩｂ）
【化２】
2012508268.tif 000002
［式中、Ｘは、−ＣＮ、−ＣＨＯ−、−ＣＯ2Ｒc、−Ｃ（＝Ｏ）Ｒb、−ＣＯＮＲc及び−ＣＨ2ＯＨからなる群から選択される基であり、その際Ｒbは、Ｈ及びアルキルからなる群から選択され、及びＲcは、独立して、Ｈ及びアルキルからなる群から選択される］の化合物から選択される少なくとも１つの化合物と、一酸化二窒素を含有するガス混合物（Ｇ）とを反応させて、式（ＩＩＩａ）、（ＩＩＩｂ）、（ＩＩＩｃ）及び（ＩＩＩｄ）
【化３】
2012508268.tif 000003
の化合物から選択される少なくとも１つの化合物を得る工程、
（ＩＩ）工程（Ｉ）において得られた少なくとも１つの化合物を、式（Ｉａ）、（Ｉｂ）、（Ｉｃ）及び（Ｉｄ）の化合物から選択される少なくとも１つの化合物に転化する工程
を含む、方法。
【請求項２】
前記工程（Ｉ）における反応を、２００〜２６５℃の範囲の温度で実施する、請求項１に記載の方法。
【請求項３】
前記工程（Ｉ）における反応を、３０〜５５ｂａｒの範囲の圧力で実施する、請求項１又は２に記載の方法。
【請求項４】
Ｘが、−ＣＮ、−ＣＨＯ−、−ＣＯ2Ｒc、−Ｃ（＝Ｏ）Ｒb、−ＣＯＮＲc及び−ＣＨ2ＯＨからなる群から選択され、その際Ｒbは、Ｈ及びアルキルからなる群から選択され、かつＲcは、独立して、Ｈ及びメチルからなる群から選択される、請求項１から３までのいずれか１項に記載の方法。
【請求項５】
少なくとも一酸化二窒素を含有するガス混合物（Ｇ）が工業的プロセスの排ガスである、請求項１から４までのいずれか１項に記載の方法。
【請求項６】
前記転化工程（ＩＩ）が、少なくとも工程（ａ）及び（ｂ）：
（ａ）式（ＩＩＩａ）、（ＩＩＩｂ）、（ＩＩＩｃ）、（ＩＩＩｄ）の化合物から選択される少なくとも１つの化合物と、アミン化合物ＮＨ2Ｒa、有利にはアンモニアとを接触する工程、
（ｂ）工程（ａ）において得られた少なくとも１つの化合物を水素化する工程
を含む、請求項１から５までのいずれか１項に記載の方法。
【請求項７】
前記工程（ｂ）における水素化を、ラネーコバルトを含有する触媒の上で実施する、請求項６に記載の方法。
【請求項８】
前記触媒が、クロム、ニッケル、鉄及び／又はコバルトでドープされている、請求項７に記載の方法。
【請求項９】
前記工程（ａ）における接触を、０〜１５０℃の範囲の温度で実施する、請求項６から８までのいずれか１項に記載の方法。
【請求項１０】
前記工程（ｂ）における水素化を、５０〜１５０℃の範囲の温度、及び１〜３００ｂａｒの範囲の圧力で実施する、請求項８又は９に記載の方法。
【請求項１１】
式（ＩＩａ）及び（ＩＩｂ）の化合物から選択され、かつ工程（Ｉ）において使用される少なくとも１つの化合物を、少なくとも工程（ｉ）：
（ｉ）式（ｉａ）
【化４】
2012508268.tif 000004
の化合物と、式（ｉｂ）
【化５】
2012508268.tif 000005
の化合物とを反応させる工程
を含む方法によって提供する、請求項１から１０までのいずれか１項に記載の方法。
【請求項１２】
前記工程（ｉ）における反応を、２０〜２００℃の範囲の温度で実施する、請求項１１に記載の方法。
【請求項１３】
前記工程（ｉ）における反応を、式（ｉａ）の化合物、式（ｉｂ）の化合物及びトルエンを少なくとも含有する混合物中で実施する、請求項１１又は１２に記載の方法。
【請求項１４】
前記工程（Ｉ）において使用される化合物を提供するための方法が、さらに少なくとも工程（ｉｉ）
（ｉｉ）前記（ｉ）における反応から得られた混合物を蒸留する工程
を含む、請求項１１から１３までのいずれか１項に記載の方法。
【請求項１５】
請求項１から１４までのいずれか１項に記載の方法によって得られるジアミン混合物。
【請求項１６】
ポリアミド及び／又はポリウレタンを製造するために、式（Ｉａ）、（Ｉｂ）、（Ｉｃ）及び（Ｉｄ）
【化６】
2012508268.tif 000006
［式中、Ｒ1、Ｒ2、Ｒ3、Ｒ4、Ｒ5、Ｒ6、Ｒ7、Ｒ8、Ｒ9、Ｒa及びＲb基は、それぞれ独立して、Ｈ及びアルキルからなる群から選択される］のジアミンから選択される少なくとも１つの環状ジアミン、又は請求項１５に記載のジアミン混合物を使用する方法。
【請求項１７】
Ｒ1、Ｒ2、Ｒ3、Ｒ4、Ｒ5、Ｒ6、Ｒ7、Ｒ8、Ｒ9、Ｒa及びＲb基がそれぞれＨである、請求項１６に記載の方法。
【手続補正書】
【提出日】平成24年11月9日(2012.11.9)
【手続補正１】
【補正対象書類名】特許請求の範囲
【補正対象項目名】全文
【補正方法】変更
【補正の内容】
【特許請求の範囲】
【請求項１】
式（Ｉ）の化合物またはその薬学的に許容される塩：
【化１】
2012508256.tif 000001
［式中、ｎは０から３の整数である。］を含む、炎症の治療および／または予防に用いるための医薬組成物。
【請求項２】
薬学的に許容される賦形剤をさらに含む、請求項１に記載の医薬組成物。
【請求項３】
少なくとも１種の抗炎症剤をさらに含む、請求項１または２に記載の医薬組成物。
【請求項４】
少なくとも１種の抗酸化剤をさらに含む、請求項１または２に記載の医薬組成物。
【請求項５】
式（Ｉ）の化合物またはその薬学的に許容される塩：
【化３】
2012508256.tif 000002
［式中、ｎは０から３の整数である。］と薬学的に許容される賦形剤とを含む、炎症の治療および／または予防に用いるための歯磨剤組成物。
【請求項６】
少なくとも１種の抗炎症剤をさらに含む、請求項５に記載の歯磨剤組成物。
【請求項７】
少なくとも１種の抗酸化剤をさらに含む、請求項５に記載の歯磨剤組成物。
【請求項８】
式（Ｉ）の化合物またはその薬学的に許容される塩：
【化４】
2012508256.tif 000003
［式中、ｎは０から３の整数である。］と薬学的に許容される賦形剤とを含む、炎症の治療および／または予防に用いるための義歯接着剤組成物。
【請求項９】
少なくとも１種の抗炎症剤をさらに含む、請求項８に記載の義歯接着剤組成物。
【請求項１０】
少なくとも１種の抗酸化剤をさらに含む、請求項８に記載の義歯接着剤組成物。
【請求項１１】
式（Ｉ）の化合物またはその薬学的に許容される塩：
【化５】
2012508256.tif 000004
［式中、ｎは０から３の整数である。］を含む、無歯の患者の炎症の治療および／または予防に用いるための義歯接着剤組成物。
【請求項１２】
式（Ｉ）の化合物またはその薬学的に許容される塩：
【化６】
2012508256.tif 000005
［式中、ｎは０から３の整数である。］と少なくとも１種の追加の抗炎症剤とを含む、無歯の患者の炎症の治療および／または予防に用いるための義歯接着剤組成物。
【請求項１３】
式（Ｉ）の化合物またはその薬学的に許容される塩：
【化７】
2012508256.tif 000006
［式中、ｎは０から３の整数である。］と少なくとも１種の抗酸化剤とを含む、無歯の患者の炎症の治療および／または予防に用いるための義歯接着剤組成物。
【請求項１４】
式（Ｉ）の化合物またはその薬学的に許容される塩：
【化８】
2012508256.tif 000007
［式中、ｎは０から３の整数である。］と、少なくとも１種の追加の抗炎症剤と、少なくとも１種の抗酸化剤と、抗菌剤と、薬学的に許容される賦形剤とを含む、炎症の治療および／または予防に用いるための医薬組成物。
【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
選択的α7アゴニストを含む、神経新生の漸増に感受性のある障害又は状態を治療又は予防するための組成物。
【請求項２】
選択的α7アゴニストを含む、神経保護を提供するための組成物。
【請求項３】
選択的α7アゴニストを含む、中枢神経系の障害又は状態の進行を阻害するための組成物。
【請求項４】
選択的α7アゴニストを含む、神経変性疾患を治療するための組成物。
【請求項５】
α7アゴニストが、海馬中で前駆細胞の増殖を増大させる、請求項1から4のいずれか１項に記載の組成物。
【請求項６】
障害又は状態が、学習及び記憶障害、癲癇、精神障害、鬱病、双極性障害、外傷後ストレス障害、神経変性疾患、アルツハイマー病、パーキンソン病、筋萎縮性側索硬化症、多発性硬化症、前頭側頭葉型認知症、ハンチントン病、プリオン病、物質乱用、耽溺、依存症、頭部外傷、脳卒中、又は身体傷害から選択される、請求項1から5のいずれか１項に記載の組成物。
【請求項７】
α7アゴニスト及びα4β2アゴニストを含む、誘発性認知障害を治療又は予防するための組成物。
【請求項８】
α7アゴニストとα4β2アゴニストとの二元薬理作用を有する単一化合物を含む、請求項7に記載の組成物。
【請求項９】
誘発性認知障害が、化学療法誘発性認知障害、放射線誘発性認知障害、虚血誘発性認知障害、自己免疫及び炎症性疾患誘発性認知障害、炎症誘発性認知障害、傷害誘発性認知障害、及び神経炎症の1種又は複数である、請求項7又は8に記載の組成物。
【請求項１０】
α7アゴニスト及びα4β2アンタゴニストを含む、鬱病、大鬱病性障害、耽溺、身体的依存、精神的依存、調節不全型食物摂取、又は双極性障害から選択される神経生物学的障害を治療又は予防するための組成物。
【請求項１１】
α7アゴニストとα4β2アンタゴニストとの二元薬理作用を有する単一化合物を含む、請求項10に記載の組成物。
【請求項１２】
α7アゴニスト及びα7アンタゴニストを含む、多形性神経膠芽腫を治療又は予防するための組成物。
【請求項１３】
α7アゴニストが、全身投与される、請求項12に記載の組成物。
【請求項１４】
α7アンタゴニストが、局所投与される、請求項12又は13に記載の組成物。
【請求項１５】
α7アンタゴニストが、局部で投与される、請求項14に記載の組成物。
【請求項１６】
α7アンタゴニストが、外科的アブレーションと同時に投与される、請求項15に記載の組成物。
【請求項１７】
α7アゴニストを含む、患者に移植された幹細胞を宿主の病態から保護するための組成物。
【請求項１８】
移植のための1種又は複数の幹細胞、及び
1種又は複数のα7アゴニスト
を含む、CNS障害を治療するための組成物。
【請求項１９】
α7アゴニストを含む、幹細胞移植片の生存及び分化を高めるための組成物。
【請求項２０】
α7アゴニストを含む、海馬の神経新生を誘発するための組成物。
【請求項２１】
α7アゴニストが、選択的α7アゴニストである、請求項17から20のいずれか１項に記載の組成物。
【請求項２２】
組成物が、CNS障害を治療するためのものである、請求項17から21のいずれか１項に記載の組成物。
【請求項２３】
組成物が、幹細胞由来の臓器移植、造血幹細胞移植、骨髄移植、皮膚移植、がん、新血管新生、血管形成、脊髄傷害、心臓損傷、造血、脱毛、難聴、失明、視覚機能障害、先天異常、糖尿病、整形外科、及び創傷治癒の1種又は複数を治療するためのものである、請求項17から22のいずれか１項に記載の組成物。
【請求項２４】
α7アゴニストが1種又は複数の療法と共に補助的に投与される、請求項1から23のいずれか１項に記載の組成物。
【請求項２５】
療法が、治療剤である、請求項24に記載の組成物。
【請求項２６】
療法が、放射線療法、遺伝子療法、幹細胞療法、又は免疫療法である、請求項24に記載の組成物。
【請求項２７】
α7アゴニストが、鬱病を治療するためのSSRIと共に補助的に投与される、請求項24に記載の組成物。
【請求項２８】
α7アゴニストが、式1の構造：
【化１】
2012508254.tif 000001
[式中、
mは2であり、
nは1であり、
pは、1、2、3又は4であり、
Xは、酸素又はNR'であり、
Yは、酸素又は硫黄であり、
Zは、NR'、共有結合、又はリンカー種Aであり、
Aは、基-CR'R''-、-CR'R''-CR'R''-、-CR'=CR'-、及び-C≡C-から選択され、
Zが共有結合又はAであるときは、Xは窒素でなければならず、
Arは、非置換又は置換された、炭素環式又は複素環式、単環式又は縮合多環式のアリール基であり、
Cyは、非置換又は置換された5又は6員のヘテロ芳香族環であり、且つ該置換基は、アルキル、アルケニル、ヘテロシクリル、シクロアルキル、アリール、置換アリール、アリールアルキル、置換アリールアルキル、ハロ、-OR'、-NR'R''、-CF3、-CN、-NO2、-C≡R'、-SR'、-N3、-C(=O)NR'R''、-NR'C(=O)R''、-C(=O)R'、-C(=O)OR'、-OC(=O)R'、-O(CR'R'')rC(=O)R'、-O(CR'R'')rNR''C(=O)R'、-O(CR'R'')rNR''SO2R'、-OC(=O)NR'R''、-NR'C(=O)OR''、-SO2R'、-SO2NR'R''、及び-NR'SO2R''からなる群から選択され、
ここで、R'及びR''のそれぞれは、個々に、水素、C1〜C8アルキル、C3〜C8シクロアルキル、ヘテロシクリル、アリール、又はアリールアルキルであるか、或いは
R'及びR''は、一緒になって3〜8員環を形成することができ、且つ
rは、1、2、3、4、5又は6である]
を有する化合物又はその薬学的に許容される塩である、請求項1から27のいずれか１項に記載の組成物。
【請求項２９】
α7アンタゴニストを含む、多形性神経膠芽腫を治療又は予防するための組成物。
【請求項３０】
放射線療法をさらに含む、請求項29に記載の組成物。
【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
１）次の一般化学式（Ｉ）および一般化学式（ＩＩ）のエチレン／プロピレングリコールコポリマーエーテルの混合物を含む、８５〜９７重量％のグリコールエーテル成分、
Ｒ−Ｏ｛［ＣＨ（ＣＨ３）ＣＨ２−Ｏ−］ｍ［ＣＨ２−ＣＨ２−Ｏ−］ｎ｝Ｈ      （Ｉ）
Ｒ１−（Ｏ−｛［ＣＨ（ＣＨ３）ＣＨ２−Ｏ−］ｍ［ＣＨ２−ＣＨ２−Ｏ−］ｎ｝Ｈ）２      （ＩＩ）
これらの化学式中、Ｒは、炭素原子２〜８個の水素またはアルキル基、
Ｒ１は、２つの置換基が同じ炭素原子上にない炭素原子２〜８個のアルキレン部分、
ｍは、エチレン／プロピレングリコールコポリマー部分（１つまたは複数）中のプロピレングリコールのモル百分率、
ｎは、エチレン／プロピレングリコールコポリマー部分（１つまたは複数）中のエチレングリコールのモル百分率、比ｎ：ｍが３５：６５〜８０：２０の範囲であり、
各グリコールコポリマー化合物が有する数平均分子量が２０００〜１００００の範囲、ならびに、
２）３〜１５重量％のヒュームドシリカゲル形成剤を含む、タイヤバランス調整ゲル状組成物であって、
前記バランス調整組成物が、粘弾性を有するとともに、２２℃で１５００Ｐａ〜５０００Ｐａの貯蔵弾性係数（Ｇ'）と、１０〜４０Ｈｚ以下のクロスオーバー振動数で前記貯蔵弾性係数よりも低い損失弾性係数（Ｇ''）と、２Ｐａ超過の臨界降伏応力とを有するタイヤバランス調整ゲル状組成物。
【請求項２】
前記グリコールエーテル成分（一種または複数種）の前記数平均分子量が３０００〜１００００の範囲である請求項１に記載のタイヤバランス調整組成物。
【請求項３】
前記比ｎ：ｍが３５：６５〜８０：２０の範囲、好ましくは４０：６０〜７５：２６の範囲、特に４０：６０〜６０：４０である、請求項１または２記載のタイヤバランス調整組成物。
【請求項４】
前記ヒュームドシリカゲル形成剤が、９０〜４００ｍ２／ｇ、好ましくは２００〜３００ｍ２／ｇのＢＥＴ表面積を有する親水性タイプのヒュームドシリカ、または５０〜３００ｍ２／ｇ、好ましくは２５０〜３５０ｍ２／ｇのＢＥＴ表面積を有する疎水化タイプのヒュームドシリカ、または前記親水性および疎水化タイプのヒュームドシリカゲル形成剤の混合物である請求項１に記載のタイヤバランス調整組成物。
【請求項５】
前記グリコールエーテル成分（一種または複数種）が、ＩＳＯ３４４８によって判定される粘度グレードが５００を超える、好ましくは８００〜１２００の範囲を示す請求項１から３のいずれか１項に記載のタイヤバランス調整組成物。
【請求項６】
請求項１から５のいずれか１項に定義される適量のバランス調整組成物を空気キャビティ内に含有する自動車タイヤ。
【請求項７】
ホイールリムおよびタイヤを備え、前記タイヤが請求項１から５のいずれか１項に定義される適量のバランス調整組成物を空気キャビティ内に含有する自動車ホイールアセンブリ。
【請求項８】
タイヤの内表面に請求項１から５のいずれか１項に記載のバランス調整組成物を適用するステップと、ホイールアセンブリを自動車に取り付けるステップと、前記バランス調整組成物が前記ホイールアセンブリのバランス調整をとるのに十分な距離だけ自動車を運転するステップとを含む自動車ホイールアセンブリのバランス調整をとる方法。
【手続補正２】
【補正対象書類名】明細書
【補正対象項目名】００１０
【補正方法】変更
【補正の内容】
【００１０】
本発明は、
１）次の一般化学式（Ｉ）および一般化学式（ＩＩ）のエチレン／プロピレングリコールコポリマーエーテルの混合物を含む、８５〜９７重量％のグリコールエーテル成分、
Ｒ−Ｏ｛［ＣＨ（ＣＨ３）ＣＨ２−Ｏ−］ｍ［ＣＨ２−ＣＨ２−Ｏ−］ｎ｝Ｈ      （Ｉ）
Ｒ１−（Ｏ−｛［ＣＨ（ＣＨ３）ＣＨ２−Ｏ−］ｍ［ＣＨ２−ＣＨ２−Ｏ−］ｎ｝Ｈ）２      （ＩＩ）
これらの化学式中、Ｒは、炭素原子２〜８個の水素またはアルキル基、
Ｒ１は、２つの置換基が同じ炭素原子上にない炭素原子２〜８個のアルキレン部分、
ｍは、エチレン／プロピレングリコールコポリマー部分（１つまたは複数）中のプロピレングリコールのモル百分率、
ｎは、エチレン／プロピレングリコールコポリマー部分（１つまたは複数）中のエチレングリコールのモル百分率、比ｎ：ｍが３５：６５〜８０：２０の範囲であり、
各グリコールコポリマー化合物が有する数平均分子量が２０００〜１００００の範囲、ならびに、
２）３〜１５重量％のヒュームドシリカゲル形成剤を含む、改善された粘弾性のタイヤバランス調整組成物であって、
前記バランス調整組成物が、粘弾性を有するとともに、２２℃で１５００Ｐａ〜５０００Ｐａの貯蔵弾性係数（Ｇ'）と、１０〜４０Ｈｚ以下のクロスオーバー振動数で前記貯蔵弾性係数よりも低い損失弾性係数（Ｇ''）と、２Ｐａ超過の臨界降伏応力とを有する、タイヤバランス調整組成物に関する。
【手続補正書】
【提出日】平成24年11月6日(2012.11.6)
【手続補正１】
【補正対象書類名】特許請求の範囲
【補正対象項目名】全文
【補正方法】変更
【補正の内容】
【特許請求の範囲】
【請求項１】
可溶性ウロキナーゼ受容体分子（ｓｕＰＡＲ）の発現又は活性を低下させる薬剤の治療上の有効量を含むことを特徴とする、蛋白尿を特徴とする疾患又は障害への使用のための医薬品組成物。
【請求項２】
ウロキナーゼ受容体分子（ｓｕＰＡＲ）か、その変異体、バリアント、断片、誘導体又は類似体かに特異的であることを特徴とする、抗体又はアプタマー。
【請求項３】
可溶性ウロキナーゼ受容体分子（ｓｕＰＡＲ）の発現、機能及び／又は活性を変調する薬剤を同定する方法であって、前記細胞を１種類又は２種類以上の薬剤と接触させるステップと、
ｓｕＰＡＲ、発現、機能又は活性を測定するステップと、
可溶性ウロキナーゼ受容体分子（ｓｕＰＡＲ）、発現、機能及び／又は活性を変調する薬剤を同定するステップとを含むことを特徴とする、方法。
【請求項４】
ｓｕＰＡＲの発現、又は活性が薬剤によって、正常対照と比較したときに、少なくとも５０％阻害されることを特徴とする、請求項３に記載の方法。
【請求項５】
前記方法が、蛋白尿を特徴とする疾患又は障害の治療のための薬剤を同定する方法であることを特徴とする、請求項３又は４に記載の方法。
【請求項６】
蛋白尿を特徴とする疾患又は障害の診断、及び／又は、蛋白尿を特徴とする疾患又は障害を発症するリスクを有する人の同定のためのバイオマーカーであって、
可溶性又は膜結合型ウロキナーゼ受容体分子（ｓｕＰＡＲ）か、そのバリアント、変異体又は断片かを含むことを特徴とする、バイオマーカー。
【請求項７】
正常対照と比較して、蛋白尿を特徴とする疾患又は障害の発症が、可溶性ウロキナーゼ受容体（ｓｕＰＡＲ）分子の増大と関連づけられることを特徴とする、請求項６に記載のバイオマーカー。
【請求項８】
患者からの生物学的試料を、検出可能な標識抗ｓｕＰＡＲ抗体と接触させるステップと、患者の可溶性ウロキナーゼ受容体（ｓｕＰＡＲ）を測定するステップとを含むことを特徴とする、患者の可溶性ウロキナーゼ受容体（ｓｕＰＡＲ）を測定するためのアッセイ。
【請求項９】
蛋白尿を特徴とする前記疾患又は障害は、足細胞疾患又は足細胞障害、蛋白尿症、糸球体疾患、膜性糸球体腎炎、巣状分節性糸球体腎炎、微小変化群、ネフローゼ症候群、子癇前症、子癇、腎臓損傷、膠原病性血管疾患、ストレス、激しい運動、良性起立性（体位性）蛋白尿症、巣状分節性糸球体硬化症（ＦＳＧＳ）、ＩｇＡ腎症、ＩｇＭ腎症、膜性増殖性糸球体腎炎、膜性腎症、サルコイドーシス、アルポート症候群、糖尿病、薬物が原因である腎臓損傷、ファブリー病、感染、アミノ酸尿症、ファンコニー症候群、高血圧性腎硬化症、間質性腎炎、鎌状赤血球貧血、血色素尿症、多発性骨髄腫、ミオグロビン尿、糖尿病性腎症（ＤＮ）、ループス腎炎、ウェゲナー肉芽腫症及び糖原病Ｉ型からなる群から選択されることを特徴とする、請求項１及び３−８のいずれかに記載の医薬組成物、方法、バイオマーカー又はアッセイ。
【手続補正書】
【提出日】平成24年11月5日(2012.11.5)
【手続補正１】
【補正対象書類名】特許請求の範囲
【補正対象項目名】全文
【補正方法】変更
【補正の内容】
【特許請求の範囲】
【請求項１】
下記化学式（Ib）：
【化１】
2012508249.tif 000001
（式中：
ｎは、０〜１３の整数であり；
R1は、水素原子、OH、SH、NH2、Cl、Br、I、C(=O)OH、C(=O)NH2、NH(C=NH)NH2、NHR6、NR6R7、+N(R6)3及びN-複素環から成る群から選択され；
R2は、水素原子及びアルキル基から成る群から選択され；
R3は、水素原子、OH、NO2、NH2及びNHR9から成る群から選択され；
R4は、水素原子、CH3、CH2OH及びCH2O-C(=O)-CH(R8)NR6R7から成る群から選択され；
R5は、水素原子、OH、=O及びOC(=O)CH(R8)NR6R7から成る群から選択され、各R6、R7及びR8は独立して水素原子、アルキル基、アラルキル基及びアリール基から成る群から選択され；
R9は、C(=O)-(CH2)mR10であり、ここでｍは５〜１０の整数であり；
R10は、水素原子、アルキル基、シクロアルキル基、又は複素環であり；
Xは、酸素原子、NH及び硫黄原子から成る群から選択され；
Yは、CH2又はNHであり；
ここで、R4及びR5の少なくとも１つは、エステル部分を含む）
の化合物、又はこの化合物の医薬的に許容された塩である、酸性セラミダーゼを阻害するための化合物。
【請求項２】
R4がCH2O-C(=O)-CH(R8)NR6R7である請求項１に記載の化合物。
【請求項３】
R5がOC(=O)CH(R8)NR6R7である請求項１に記載の化合物。
【請求項４】
前記化合物が、
【化３】
2012508249.tif 000002
【化４】
2012508249.tif 000003
【化５】
2012508249.tif 000004
から選択される請求項１に記載の化合物。
【請求項５】
（ａ）請求項１〜４のいずれか一項に記載の化合物、及び（ｂ）医薬的に許容された担体から成る、患者における好ましくないセラミダーゼ又はスフィンゴシンキナーゼ活性に関係する疾病又は疾患を治療又は予防するための医薬組成物。
【請求項６】
酸性セラミダーゼを含むサンプルを、有効量の酸性セラミダーゼ阻害剤のエステルプロドラッグと、該プロドラッグが加水分解してこの阻害剤になる条件下で、接触させる段階から成る、インビトロ又は人体を除くインビボで、酸性セラミダーゼを阻害する方法であって、該プロドラッグが、請求項１〜４のいずれか一項に記載の化合物である方法。
【請求項７】
下記化学式（Ia）
【化１】
2012508249.tif 000005
（式中：
ｎは０〜１３の整数であり；
R1は、NH2、NHR6、NR6R7及びN-複素環から成る群から選択され；
R2は、水素原子及びアルキル基から成る群から選択され；
R3は、水素原子、OH、NO2、NH2及びNHR9から成る群から選択され；
R4は、水素原子、CH3、CH2OH及びCH2O-C(=O)-CH(R8)NR6R7から成る群から選択され；
R5は、水素原子、OH、=O及びOC(=O)CH(R8)NR6R7から成る群から選択され、各R6、R7及びR8は、独立して水素原子、アルキル基、アラルキル基及びアリール基から成る群から選択され；
R9は、C(=O)-(CH2)mR10であり、ここでｍは５〜１０の整数であり；
R10は、水素原子、アルキル基、シクロアルキル基又は複素環であり；
Xは、酸素原子、NH及び硫黄原子から成る群から選択され；及び
Yは、CH2又はNHである）
の構造を持つ化合物、又はこの化合物の医薬的に許容された塩である、酸性セラミダーゼを阻害するための化合物。
【請求項８】
R1がNR6R7であり、R6及びR7がそれぞれアルキル基である請求項７に記載の化合物。
【請求項９】
前記化合物が、(1R, 2R)-2-[N-(12'-{1"-イミダゾール}-ドデカノイル)-アミノ]-1-(4"-ニトロフェニル)-1,3-プロパンジオール (LCL433)； (1R, 2R)-2-[N-(12'-{1"-モルホリン}-ドデカノイル)-アミノ]-1-(4"-ニトロフェニル)-1,3-プロパンジオール (LCL449)； (1R, 2R)-2-[N-(12'-アミノ-ドデカノイル)-アミノ]-1-(4"-ニトロフェニル)-1,3-プロパンジオール (LCL463)； (1R, 2R)-2-[N-(12'-N,N-ジメチルアミノ-ドデカノイル)-アミノ]-1-(4"-ニトロフェニル)-1,3-プロパンジオール (LCL464)； (1R, 2R)-2-[N-(6'-{N-オクチルアミノ}-ヘキサノイル)-アミノ]-1-(4"-ニトロフェニル)-1,3-プロパンジオール(LCL488)；及び(1R, 2R)-2-[N-{12'-N-メチル-アミノ}-ドデカノイル]-アミノ]-1-(4"-ニトロフェニル)-1,3-プロパンジオール (LCL506)から成る群から選択される請求項７に記載の化合物。
【請求項１０】
（ａ）請求項７〜９のいずれか一項に記載の化合物、及び（ｂ）医薬的に許容された担体から成る、患者における好ましくないセラミダーゼ又はスフィンゴシンキナーゼ活性に関係する疾病又は疾患を治療又は予防するための医薬組成物。
【請求項１１】
酸性セラミダーゼを含むサンプルを、有効量の請求項７〜９のいずれか一項に記載の化合物に接触させる段階から成る、インビトロ又は人体を除くインビボで、酸性セラミダーゼを阻害する方法であって、この阻害が、恒久的なリソソーム不安定化及び／又は酸性セラミダーゼのタンパク質分解なしに行われる方法。
【誤訳訂正書】
【提出日】平成24年4月17日(2012.4.17)
【誤訳訂正１】
【訂正対象書類名】明細書
【訂正対象項目名】０１３９
【訂正方法】変更
【訂正の内容】
【０１３９】
式Ｉの特定の実施形態において、Ｒ１は、Ｃ１−６アルキル、ハロ−Ｃ１−６アルキル、ヘテロ−Ｃ１−６アルキル、Ｃ３−６シクロアルキル、Ｃ３−６シクロアルキル−Ｃ１−６アルキル又はシアノで１位が場合により置換されているテトラゾール−５−イルである。そのような実施態様において好ましくは、１位が、Ｃ１−６アルキルで置換されている。
【誤訳訂正２】
【訂正対象書類名】明細書
【訂正対象項目名】０１４０
【訂正方法】変更
【訂正の内容】
【０１４０】
式Ｉの特定の実施形態において、Ｒ１は、Ｃ１−６アルキル、ハロ−Ｃ１−６アルキル、ヘテロ−Ｃ１−６アルキル、Ｃ３−６シクロアルキル、Ｃ３−６シクロアルキル−Ｃ１−６アルキル又はシアノで５位が場合により置換されているテトラゾール−１−イルである。
【誤訳訂正書】
【提出日】平成24年6月13日(2012.6.13)
【誤訳訂正１】
【訂正対象書類名】特許請求の範囲
【訂正対象項目名】全文
【訂正方法】変更
【訂正の内容】
【特許請求の範囲】
【請求項１】
プロピレンとエチレンとのランダム共重合体（ＲＣＰ）を含む樹脂を用いて、１段階の射出−延伸−ブロー成形で耐落下性および頂部荷重抵抗性に優れた容器を製造する方法であって、
上記ＲＣＰのメルトインデックスは1.5〜35dg／分で、エチレン含有量がＲＣＰの重量の６重量％以下であり、
プレフォームの射出温度Ｔinjは200〜270℃で、延伸およびブロー温度Ｔsbはこのプレフォームの射出温度Ｔinjを用いてＴsb＝105＋0.27×（Ｔinj−200）で表わされ、Ｔsbの変化ΔＴの範囲は15℃以下であることを特徴とする方法。
【請求項２】
上記樹脂が核剤および／または清澄剤をさらに含む請求項１に記載の方法。
【請求項３】
エチレン含有量が4.5重量％以下である請求項１または２に記載の方法。
【請求項４】
メルトインデックスが15dg／分以下である請求項１〜３のいずれか一項に記載の方法。
【請求項５】
プレフォームの射出温度が210℃にし、延伸／ブロー段階を100〜115℃で行なう請求項１〜４のいずれか一項に記載の方法。
【請求項６】
下記（１）〜（６）の工程から成る請求項１〜５のいずれか一項に記載の１段階の射出−延伸−ブロー成形方法：
（１）多重キャビティー金型での射出成形でプレフォームを作り、
（２）得られたプレフォームを反射輻射加熱オーブン中かプレフォームに適した所定の温度プロフィルを有する十分な熱源の前でわずかに再加熱し、
（３）加熱されたプレフォームを平衡化帯域を通してプレフォーム壁に熱を均一に分散させ、
（４）プレフォームをプレ−ブロー階段で延伸し、
（５）中心ロッドでプレフォームを軸線方向に延伸し、
（６）延伸されたプレフォームを高圧空気によって放射方向に延伸する。
【請求項７】
請求項１〜６のいずれか一項に記載の方法で得られることを特徴とする容器。
【誤訳訂正２】
【訂正対象書類名】明細書
【訂正対象項目名】０００８
【訂正方法】変更
【訂正の内容】
【０００８】
本発明は、メルトインデックスが１．５〜３５dg／分で、エチレン含有量がＲＣＰの重量の６重量％以下であるプロピレンとエチレンとのランダム共重合体（ＲＣＰ）と、必要に応じて用いられる核剤および／または清澄剤（clarifying agent）とを含む樹脂を用いて１段階の射出−延伸−ブロー成形で製造される容器であって、射出温度が200℃以上で、延伸およびブロー温度Tsbが１５℃以下の非常に狭い範囲ΔT内に限定され、上記延伸／ブロー温度Tsbが射出温度の関数である容器を提供する。
【発明を実施するための最良の形態】
【誤訳訂正書】
【提出日】平成24年6月15日(2012.6.15)
【誤訳訂正１】
【訂正対象書類名】特許請求の範囲
【訂正対象項目名】全文
【訂正方法】変更
【訂正の内容】
【特許請求の範囲】
【請求項１】
少なくとも２つのポリ（メタ）アクリラート層（１）、（２）及び熱可塑性ポリウレタンからなる層（３）からなり、
前記ポリ（メタ）アクリラート層（１）、（２）は、モノマーの質量に対して、少なくとも４０質量％のメチルメタクリラートを含有する混合物のラジカル重合により得られることを特徴とする、プラスチック複合体。
【請求項２】
ポリ（メタ）アクリラート層（１）、（２）の一方又は両方の外側に、耐引掻層が配置されていることを特徴とする、請求項１記載のプラスチック複合体。
【請求項３】
（１）及び（２）の層の厚さは０．５〜６ｍｍの範囲にあり、（３）の層の厚さは、０．５〜５ｍｍの範囲にあることを特徴とする、請求項１記載のプラスチック複合体。
【請求項４】
グレージング材用の、請求項１から３までのいずれか１項記載のプラスチック複合体の使用。
【請求項５】
防音壁のための部品としての、請求項１から３までのいずれか１項記載のプラスチック複合体の使用。
【請求項６】
少なくとも２つのポリ（メタ）アクリラート層（１）、（２）からなり、その際少なくとも１つの層が着色されていることを特徴とする、請求項１記載の、透明な又は透明でないプラスチック複合体。
【請求項７】
（１）及び（２）の層の厚さは１〜３ｍｍの範囲にあり、（３）の層の厚さは、０．５〜１．５ｍｍの範囲にあることを特徴とする、請求項６記載の、透明な又は透明でないプラスチック複合体。
【請求項８】
（１）及び（２）の層厚は同じであることを特徴とする、請求項１又は６記載の、透明な又は透明でないプラスチック複合体。
【請求項９】
少なくとも２つのポリ（メタ）アクリラート層（１）、（２）からなり、その際少なくとも１つの層が、ＩＲ反射性の顔料及び添加剤又は様々なＩＲ反射性の顔料及び添加剤からなる混合物を備えていることを特徴とする、請求項１記載の、透明な又は透明でないプラスチック複合体。
【請求項１０】
少なくとも２つのポリ（メタ）アクリラート層（１）、（２）からなり、その際少なくとも１つの層が、ＵＶ吸収剤又は様々なＵＶ吸収剤からなる混合物を備えていることを特徴とする、請求項１又は請求項６記載の、透明な又は透明でないプラスチック複合体。
【請求項１１】
少なくとも２つのポリ（メタ）アクリラート層（１）、（２）からなり、その際少なくとも１つの層が衝撃強さ改善剤を備えていることを特徴とする、請求項１又は請求項６記載の、透明な又は透明でないプラスチック複合体。
【請求項１２】
ボディ建造目的のための、請求項１、２、３、６から１１までのいずれか１項記載のプラスチック複合体の使用。
【請求項１３】
請求項１、２、３、６から１１までのいずれか１項記載のプラスチック複合体で装備された、ボディ部品。
【請求項１４】
少なくとも２つのポリ（メタ）アクリラート層（１）、（２）及び熱可塑性ポリウレタンからなる層（３）からなるプラスチック片を８０℃〜１４０℃に加熱し、かつ、１０〜１００ｋＮで２０〜６０秒間加圧することを特徴とする、請求項１、２、３、６から１１までのいずれか１項記載のプラスチック複合体の製造方法。
【誤訳訂正２】
【訂正対象書類名】明細書
【訂正対象項目名】０００８
【訂正方法】変更
【訂正の内容】
【０００８】
（１）及び（２）の層の厚さは、０．５〜６ｍｍ、有利には１〜３ｍｍの範囲にあることができ、（３）の層の厚さは、０．５〜５ｍｍ、有利には０．５〜１．５ｍｍの範囲内にある。（１）及び（２）の層厚は、同じか又は異なることができる。有利には、プラスチック複合体の外側層は、プラスチック複合体の内側層よりより厚く構成されている。
【誤訳訂正書】
【提出日】平成24年10月2日(2012.10.2)
【誤訳訂正１】
【訂正対象書類名】特許請求の範囲
【訂正対象項目名】請求項１
【訂正方法】変更
【訂正の内容】
【請求項１】
無機半導体粒子含有層が、半導体有機マトリックス内で金属塩及び／又は金属化合物並びに塩様の又は有機の反応物からインシトゥで形成されることを特徴とする、無機半導体粒子含有層の製法。
【誤訳訂正２】
【訂正対象書類名】明細書
【訂正対象項目名】０００７
【訂正方法】変更
【訂正の内容】
【０００７】
本発明に従うと、無機半導体粒子含有層が半導体有機マトリックス内で金属塩及び／又は金属化合物及び塩様のもしくは無機の反応物からインシトゥ（ｉｎ  ｓｉｔｕ）で形成されることを特徴とする、前記のタイプの方法が示される。
【誤訳訂正３】
【訂正対象書類名】明細書
【訂正対象項目名】００２２
【訂正方法】変更
【訂正の内容】
【００２２】
本発明に従う無機半導体粒子の製法により、塩様の又は有機の反応物と反応する金属化合物が使用される。
【誤訳訂正書】
【提出日】平成23年12月5日(2011.12.5)
【誤訳訂正１】
【訂正対象書類名】明細書
【訂正対象項目名】００１２
【訂正方法】変更
【訂正の内容】
【００１２】
さらに、選択されていないワード線に印加されるパス電圧（Ｖｐａｓｓ）を、初期プログラミング中よりも再プログラミング中で高くすることが可能である。再プログラミング中においては、ドレイン側のワード線下に存在する記憶素子は、もはや消去されていないので、さらに高いＶｐａｓｓ昇圧電位が、現在高い閾値電圧にプログラムされている記憶素子が反転状態に達するために費やされなければならない。したがって、Ｖｐａｓｓを上昇することは、再プログラミング中には有利なことである。
【誤訳訂正２】
【訂正対象書類名】明細書
【訂正対象項目名】００８２
【訂正方法】変更
【訂正の内容】
【００８２】
（昇圧技術）
図１４Ａ〜１４Ｆは、初期プログラミングと再プログラミングとで異なるパス電圧を用いる昇圧技術を示している。これらの技術では、プログラミング中に、選択されなかったワード線に対してパス電圧Ｖｐａｓｓが印加される。一般に、再プログラミング中においては、初期プログラミングで用いられるパス電圧Ｖｐａｓｓ１に対してパス電圧Ｖｐａｓｓ２を増加させることが有用であるが、これは、再プログラミング中においては、ドレイン側のワード線下にある記憶素子は、もはや消去されていないからである。結果として、さらに高いＶｐａｓｓ昇圧電位が、現在高い閾値電圧にプログラムされている記憶素子が反転状態に達するために費やされなければならない。Ｖｐａｓｓ電圧が上昇した結果、選択されていないワード線下の消去済みの記憶素子が不注意にプログラミングされてしまうが、このプロセスはオフ−行−外乱として知られている。しかしながら、記憶素子のＶＴＨのウィンドウが、ブロックの再プログラミングの利点のために減少すれば、高Ｖｐａｓｓ電圧による影響がオフセットされる。例えば、Ｖｐａｓｓ２はＶｐａｓｓ１より０．５Ｖ高い。一つの可能な実施例では、Ｖｐａｓｓ２は７〜１０Ｖであり、Ｖｐａｓｓ１は６．５〜９．５Ｖである。一般に、個々のワード線に対して同じまたは異なるＶｐａｓｓ値を印加することが可能である。例えば、選択されていないワード線に印加されるＶｐａｓｓは、初期プログラミングが実行されるか再プログラニングが実行されるかを示す関数であることに加えて、選択されたワード線に対するおよび／またはブロックの境界に対する選択されていないワード線の位置の関数であり得る。
【誤訳訂正書】
【提出日】平成24年4月20日(2012.4.20)
【誤訳訂正１】
【訂正対象書類名】明細書
【訂正対象項目名】００２５
【訂正方法】変更
【訂正の内容】
【００２５】
図示はしていないが、この発明の技術分野ではよく知られているように、各振動子の運動を検出する手段を設けている。このような手段は、例えば、振動子の運動により周期的に遮られる光ビームにより構成できる。各振動子の運動の総体から得られる信号は、アクチュエータに供給される。各振動子は、ハウジングと支持部を介して、両振動子に向けた振動の入力を受け取るが、各振動子は機械的なフィルタとして振る舞い、その固有振動数付近のエネルギーのみを選択的に吸収する。ここで、アクチュエータはカウンターマスに接触するようには設けていないため、ハウジングの対称な２つの半部の動きは、互いに逆向きになる。この逆向きの運動は、その器具の質量中心を運動させることはないし、質量中心についての正味トルクも発生させない。このため、カウンターマスによって相殺する必要があるのは、振動部のうちの片持ち部（一端のみ固定された部分）及び試験対象のサンプルの運動のみである。
【誤訳訂正２】
【訂正対象書類名】特許請求の範囲
【訂正対象項目名】全文
【訂正方法】変更
【訂正の内容】
【特許請求の範囲】
【請求項１】
流体の密度を測定する装置であって、
少なくとも１つのアクチュエータと、
前記アクチュエータによりその質量中心が略固定的な位置に留まるように駆動され、たわみ性を有する、ハウジング又は複数のハウジングの結合体と、
試験対象のサンプルを内部に充填するための、前記ハウジング又は複数のハウジングの結合体の内部に設けられた支持部に取り付けられた中空の振動子と、
前記ハウジング又は複数のハウジングの結合体に対してリジッドに固定されたカウンターマスとを有し、
前記アクチュエータは、前記カウンターマスに接触するように設けられていないことを特徴とする装置。
【請求項２】
請求項１に記載の装置であって、
前記ハウジング又は複数のハウジングの結合体と前記カウンターマスとの間に配置された温度制御手段を有することを特徴とする装置。
【請求項３】
請求項２に記載の装置であって、
前記温度制御手段がペルチェ素子であることを特徴とする装置。
【請求項４】
請求項１に記載の装置であって、
前記アクチュエータが前記中空の振動子の支持部に接続されていないことを特徴とする装置。
【請求項５】
請求項４に記載の装置であって、
前記アクチュエータが前記ハウジング又は複数のハウジングの結合体と接触する点が、前記中空の振動子の支持部及び前記ハウジング又は複数のハウジングの結合体の取り付け位置の近傍にないことを特徴とする装置。
【請求項６】
請求項１に記載の装置であって、
前記ハウジング又は複数のハウジングの結合体のうち、略静止している箇所に、前記中空の振動子と通じる入口及び出口となる開口部を設けたことを特徴とする装置。
【請求項７】
請求項１に記載の装置であって、
キャリブレーション時と異なる温度で測定を行った場合の精度を向上させるための既知の対照用振動子を設けたことを特徴とする装置。
【請求項８】
請求項７に記載の装置であって、
前記対照用振動子は前記中空の振動子と逆向きに駆動されることを特徴とする装置。
【請求項９】
請求項１に記載の装置であって、
前記アクチュエータの少なくとも１つが、圧電素子であることを特徴とする装置。
【請求項１０】
請求項９に記載の装置であって、
前記圧電素子が、前記ハウジング又は複数のハウジングの結合体に押しつけられて圧縮された状態で動作することを特徴とする装置。
【請求項１１】
請求項９に記載の装置であって、
前記ハウジング又は複数のハウジングの結合体と結合するバンドを備え、
前記圧電素子が、前記ハウジング又は複数のハウジングの結合体に対して力を加える前記バンドに対して張力のかかった状態で動作する装置。
【請求項１２】
請求項１１に記載の装置であって、
前記バンドが透明部を有することを特徴とする装置。
【請求項１３】
請求項１に記載の装置であって、
第２の振動子を有し、
各振動子は、別々のハウジングの内部に位置し、
前記少なくとも１つのアクチュエータのうち１つは、２つのハウジングの間に、その両ハウジングに接するように設けられており、該アクチュエータが前記２つのハウジングを変形させ、該変形が、前記各ハウジング内部の前記各振動子に、前記各ハウジングの内壁と前記各振動子との間に設けた結合部を通じて伝達されることを特徴とする装置。
【請求項１４】
請求項１３に記載の装置であって、
前記各ハウジングの一部分が、支持部の開口内に位置することを特徴とする装置。
【請求項１５】
請求項１４に記載の装置であって、
前記各ハウジングのうち前記開口内に位置する部分が、前記各ハウジングのうち前記開口の外に位置する部分よりも細いことを特徴とする装置。
【請求項１６】
請求項１５に記載の装置であって、
前記２つの異なるハウジングに対して、同じ大きさで向きが反対の変形が周期的に与えられることを特徴とする装置。
【請求項１７】
請求項１６に記載の装置であって、
前記振動子のうち第１の振動子が第２の振動子より長いことを特徴とする装置。
【請求項１８】
請求項１４に記載の装置であって、
前記振動子の壁の厚さが、その長さに応じて異なることを特徴とする装置。